(57)【要約】      （修正有）【課題】貯溜穀物の重量負荷による破損などを引き起こすことなく、長期にわたり受圧板に安定的に振動を与えることができる振動発生装置を備えた穀物貯溜タンクを提供する。【解決手段】スクリューコンベア３の上方部位に配設される受圧板８に、スクリューコンベア３の回転に連動させて振動を与えるための振動発生装置１１を受圧板８の内側に備える。振動発生装置１１は、受圧板８の内側中央部位において、収納タンク１の前後方向に配設される回転軸１１ａと、この回転軸１１の正転と逆転とが繰り返される半回転運動により受圧板８を内側から叩く打撃部１１ｂとを備えて構成されている。これにより、貯溜穀物Ｍの重量負荷を受けている受圧板８に無理な負荷応力などを掛けることなく、受圧板８に振動を与えて、貯溜穀物Ｍのブリッジ現象を解消するようにした。【選択図】図２
2007312613.tif 000002
【特許請求の範囲】
【請求項１】
前後方向に長く縦断面が略ホッパ形状を呈するタンクの最底部に、前後方向のスクリューコンベアを配設し、
かつ、前記スクリューコンベアの上方部位には該スクリューコンベアへの貯溜穀類の重量負荷を軽減するための受圧板を配設して、この受圧板と前記タンクの両側のホッパ底部との間に、前記スクリューコンベアへと前記貯溜穀物を流下させるための両側の流下口をそれぞれ備えて構成されている穀物貯溜タンクにおいて、
前記スクリューコンベアの回転に連動させて前記受圧板に振動を与えるための振動発生装置を前記受圧板の内側に備え、
前記振動発生装置は、少なくとも前記受圧板の内側中央部位において、前記タンクの前後方向に架橋状に配設される回転軸と、
この回転軸に配設されて、該回転軸の正転と逆転とが繰り返される半回転運動により前記受圧板を内側から突き上げるように叩く打撃部と、を備えていることを特徴とする穀類貯溜タンク。
【請求項２】
前記打撃部は、前記回転軸の軸方向に対して交差する方向で、前記受圧板の横断面方向に向けて前記回転軸に水平に取り付けられる支持部と、
この支持部の両側において、上方に向けて突出状に取り付けられる打部と、を備えていることを特徴とする請求項１に記載の穀物貯溜タンク。
【請求項３】
前記打部は、耐久性と適宜の硬さを有する弾性部材またはばね部材などによって形成されていることを特徴とする請求項２に記載の穀物貯溜タンク。
【発明の詳細な説明】
【技術分野】
【０００１】
本発明は、コンバインなどによって田畑から収穫される米・麦などの穀物（穀粒）をタンク内に一時貯溜し、トラックなどに搭載されてライスセンターなどへと穀物を搬送する穀物貯溜タンクに係り、特に、タンクの最底部のスクリューコンベアによりタンク内の貯溜穀類をタンク外に送出し排出する際に、スクリューコンベアの上方部位の受圧板に振動を与えて、スクリューコンベアへと貯溜穀物を円滑に自然流下させるように構成されている穀物貯溜タンクの関する。
【背景技術】
【０００２】
従来から、タンクの最底部のスクリューコンベアによりタンク内の貯溜穀類をタンク外に送出し排出する際に、スクリューコンベアの上方部位に配設されている受圧板に振動を与えることで、タンク内の貯溜穀物のブリッジ現象を解消し、これにより、タンク内の貯溜穀物をスクリューコンベアへと円滑に自然流下させるように構成されている穀物貯溜タンク（グレンタンクとも称されている）は知られている（例えば、特許文献１及び特許文献２参考）。
【特許文献１】特開平６−３４３３３７号公報（段落番号００１０及び図３参照）
【特許文献２】特開平７−８１０８号公報（段落番号０００８及び図２参照）
【発明の開示】
【発明が解決しようとする課題】
【０００３】
しかしながら、特許文献１及び特許文献２において開示されている穀物貯溜タンクは、スクリューコンベアの上方部位において、タンクの前後壁面の間にわたり配設される受圧板を、前後壁面に支軸を介して揺動自在に支持させ、この支軸にスクリューコンベアのスクリュー軸からの駆動力により正逆回転運動を繰り返し与えることにより、前記受圧板を前記支軸のまわりで揺動させるようにしている。
そのために、受圧板にはねじれが発生し、受圧板が長手方向に変形を起こす。或いは受圧板と支軸との溶接などによる接続部に金属疲労が発生して、短期間で故障してしまるなどの問題があった。
つまり、タンクの最底部のスクリューコンベアによりタンク内の貯溜穀類をタンク外に送出し排出する際には、タンク内に貯溜されている貯溜穀物の大きな重量負荷を受けている状態にある受圧板を支持する支軸に正転回動運度を与えて受圧板を振動させるように構成されている従来の穀物貯溜タンクにおいては、受圧板自体にねじれ変形が発生したり、受圧板と支軸との溶接などによる接合部などに金属疲労による破損が起こるなどの品質上の問題があり、そのために、短期間で修理が必要となるなどの維持管理に問題があった。
【０００４】
そこで、本発明は、前記課題を解消するために創案されたものであり、貯溜穀物の重量負荷による破損などを引き起こすことなく、長期にわたり受圧板に安定的に振動を与えることができる振動発生装置を備えた穀物貯溜タンクを提供することにある。
【課題を解決するための手段】
【０００５】
前記課題を解決するために、請求項１では、前後方向に長く縦断面が略ホッパ形状を呈するタンクの最底部に、前後方向のスクリューコンベアを配設し、かつ、前記スクリューコンベアの上方部位には該スクリューコンベアへの貯溜穀類の重量負荷を軽減するための受圧板を配設して、この受圧板と前記タンクの両側のホッパ底部との間に、前記スクリューコンベアへと前記貯溜穀物を流下させるための両側の流下口をそれぞれ備えて構成されている穀物貯溜タンクにおいて、
前記スクリューコンベアの回転に連動させて前記受圧板に振動を与えるための振動発生装置を前記受圧板の内側に備え、前記振動発生装置は、少なくとも前記受圧板の内側中央部位において、前記タンクの前後方向に架橋状に配設される回転軸と、この回転軸に配設されて、該回転軸の正転と逆転とが繰り返される半回転運動により前記受圧板を内側から叩く打撃部と、を備えていることを特徴とする。
【０００６】
請求項１に記載の構成によれば、振動発生装置の打撃部により、受圧板を内側から叩くことで、受圧板に振動を与えることができるようにしたことで、タンク内の貯溜穀物の重量負荷を受けている受圧板に無理な負荷応力などを掛けることはない。これにより、受圧板が変形や破損するなどのおそれはなく、長期にわたり安定的に受圧板に振動を与えて、貯溜穀物のブリッジ現象を効果的に解消することができる。よって、品質の安定性と信頼性の向上が図れるなどの効果が期待できる。
【０００７】
請求項２では、前記打撃部は、前記回転軸の軸方向に対して交差する方向で、前記受圧板の横断面方向に向けて前記回転軸に水平に取り付けられる支持部と、この支持部の両側において、上方に向けて突出状に取り付けられる打部と、を備えていることを特徴とする。
ここで、前記打部は、耐久性と適宜の硬さを有する弾性部材またはばね部材などによって形成されていることが好適なものとなる。
【０００８】
請求項２に記載の構成によれば、請求項１に記載の作用に加えて、タンクの前後方向に配設される回転軸に対し、支持部を取り付け、この支持部に打部を備えるといった簡単な構造によって、回転軸の正転と逆転とが繰り返される半回転運動により、受圧板に振動を与えることができる。これにより、安価かつ容易に製作し提供することができる。そして、請求項３に記載のように構成することにより、受圧板に打撃による損傷などを与えることなく、しかも、打部自体の損傷などを防ぐことができ、その分、メンテナンス上において有利になる。
【発明の効果】
【０００９】
本発明の穀物貯溜タンクによれば、貯溜穀物の重量付加による破損などを引き起こすことなく、長期にわたり受圧板に安定的に振動を与えることができる。これにより、品質の安定性と信頼性の向上などが期待できる。
【発明を実施するための最良の形態】
【００１０】
以下、本発明の実施形態について、適宜図面を参照しながら詳細に説明する。
図１は、本発明に係る穀物貯溜タンクの実施形態を示す縦断側面図であり、図２は、同要部の拡大断面図である。
【００１１】
≪穀物貯溜タンクの構成≫
穀物貯溜タンクＡは、図1に示すように、縦断面が略ホッパ形状を呈する収納タンク１の最底部にその前後方向に延びる送出し路２を備えており、この送出し路２の溝方向全長にわたりスクリューコンベア３を回転架橋状に配設するとともに、送出し路２の送出し終端側には排出口部４を備えている。
【００１２】
そして、収納タンク１を支持するように枠組み構成されている機枠５の底部にはモータ６が設置されており、このモータ６からの動力によりスクリューコンベア３を駆動回転させてその回転動力によって送出し路２に流下されて流れ込んだタンク内の貯溜穀物Ｍが、スクリューコンベア３の回転により送出し路２を移送されてその送出し終端側の排出口部４へと送り出されながら、該排出口部４に接続される搬出ホース２６によってタンク外に排出されるように構成されている。
【００１３】
≪収納タンクの構成≫
収納タンク１は、図１及び図２に示すように、前後方向に長く平面視が略矩形状に開口し、その前後短辺壁１−１を垂直壁とし、左右長辺壁１−２をその高さ方向上半部側を垂直壁とすると共に、下半部側を最底部に向けて漸次傾斜させたテーパー状のホッパ底部１ａとしている。
これにより、収納タンク１に貯溜された貯留穀物Ｍは、図２に示すように、二点鎖線の状態からシャッター７を上昇させることによって、送出し路２に向けて自然に流下し，該送出し路２に流れ込むようにしている。
【００１４】
≪送出し路の構成≫
送出し路２は、図１及び図２に示すように、収納タンク１の前後方向にわたる長さで縦断面が略樋形状に形成され、収納タンク１の左右ホッパ底部１ａの下端にボルトなどの止め手段（図示省略）により取り付けてタンクの最底部に備えられる。
そして、送出し路２の送出終端側には、図１に示すように、排出口部４が備えられており、この排出口部４からタンクの後側短辺壁１−１に至る送出し路２の送出し始端部側にわたりスクリューコンベア３が回転架橋状に取り付けられることにより、送出し路２にスクリューコンベア３が配設されるようになっている。
【００１５】
また、送出し路２の上方部位には、図１及び図２に示すように、受圧板８が、収容タンク１の前後短辺壁１−１の間にわたるように配設されており、この受圧板８によって、タンク内の貯溜穀物Ｍの自重負荷が送出し路２のスクリューコンベア３に直接掛らないようにして、スクリューコンベヤー３が大きな負荷を受けることなく円滑に回転し得るようにしている。
【００１６】
ちなみに、スクリューコンベア３は、図１に示すように、タンクの短辺後壁1-1 から突出させたスクリュー軸３ａの他端側を、機枠５の底部に設置されたモータ６に動力伝達機構を介して連繋させることにより、モータ６からの回転動力により駆動回転するようになっている。
動力伝達機構１０は、モータ６の出力軸６ａに取り付けられる小径プーリー１０ａと、スクリュー軸３ａの取り付けられる大径プーリー１０ｂ、そして、この大径プーリー１０ｂと小径プーリー１０ａとにわたり巻回されるＶベルト１０ｃとを備えて、モータ６の回転動力をスクリューコンベア３に回転動力を伝達するように構成されている（図４参照）。
【００１７】
また、排出口部４は、図１に示すように、送出し路２の溝底などに開口された籾落下口４ａと、この籾落下口４ａの真下に位置して左右に首振り回動自在に備えられる接続部４ｂとを備え、この接続部４ｂに、コイルコンベア２６ａを内装する搬出ホース２６の接続口具２６ｂが接続されて、スクリューコンベア３により送出し路２を、その送出し終端部側へと送出されてくる貯溜穀物Ｍが、コイルコンベア２６ａにより搬出ホース２６を移送されてタンク外に搬出されるようになっている。
【００１８】
≪受圧板の構成≫
受圧板８は、図１及び図２に示すように、収納タンク１の前後短辺壁１−１の間にわたる長さに形成されている。そして、この受圧板８は、閉鎖された上半部（頂部）側を略山形形状とし、下半部側を下向き開口状に拡開させた縦断面が略逆向きＵ字状に形成されて、収納タンク１の前後短辺壁１−１にボルトなどの止め手段（図示省略）によって固着されることにより、スクリューコンベア３の上方部位において前後短辺壁１−１の間に架橋状に配設されるようになっている。
このようにして、受圧板８が配設されることにより、受圧板８の両側垂れ縁部８ａと両側のホッパ底部１ａとの間には、図２に示すように、貯溜穀物Ｍが送出し路２へと流下するための流下口９がそれぞれ形成されるようにしている。
【００１９】
そして、両側の流下口９を開閉するためのシャッター７を上下動自在に配設することにより、ライスセンターなどへの運搬中などにおいて貯留穀物Ｍが送出し路２へと流下することを阻止するようにしている。
ここで、両側の流下口９のシャッター７による開閉とは、図２に示すように、流下口９を直接開閉するものではなく、両側の流下口９のそれぞれの内側（送出し路２側）において、流下口９を通過したタンク内の貯溜穀物Ｍが送出し路２へと流下しないように阻止すること（二点鎖線の状態）、そして、流下口９を通過した貯溜穀物Ｍを送出し路２へと流下させることを意味するものである。
【００２０】
また、図１及び図２に示すように、受圧板８の内側に振動発生装置１１が配設されており、受圧板８に振動を与える。これにより、タンク内の貯溜穀物Ｍのブリッジ現象を効果的に解消することができるようにしている。
【００２１】
≪振動発生装置の構成≫
図３は、本実施形態に係る振動発生装置の打撃部を示す斜視図であり、図４は、同振動発生装置の連繋機構を示すタンクの側面図である。
振動発生装置１１は、図１から図３に示すように、受圧板８の横断面方向の内側中央部位において収納タンク１の前後方向に配設される回転軸１１ａと、この回転軸１１ａに配設されて、該回転軸１１ａの繰り返される正逆回転運動により受圧板８を内側から叩く打撃部１１ｂと、回転軸１１ａを、スクリューコンベア３のスクリュー軸３ａに連繋させる連繋機構１１ｃとを備えて構成されている。
【００２２】
≪回転軸の構成≫
回転軸１１ａは、適宜の太さを有するパイプ材や棒材などによって収納タンク１の前後壁面１−１の間にわたる長さが形成されている。この回転軸１１ａは、図１及び図２に示すように、受圧板８の上半部側における両側の山形傾斜部８ｂの間において、収納タンク１の前後壁面１−１の間にわたり回転架橋状に配設される。
そして、回転軸１１ａは、軸方向における複数ヶ所に、図示例では２ヵ所に打撃部１１ｂを備えており、この２箇所の打撃部１１ｂによって受圧板８をその内側から叩き、該受圧板８に振動を与えるように形成されている。
【００２３】
≪打撃部の構成≫
打撃部１１ｂは、図２及び図３に示すように、回転軸１１ａの軸方向に対して交差する方向で、受圧板８の横断面方向に向けて回転軸１１ａに対して水平に取り付けられる支持部１２と、この支持部１２の両側において、上方に向けて突出状に取り付けられる打部１３とを備えて構成されている。
【００２４】
≪支持部の構成≫
支持部１２は、図３に示すように、回転軸１１ａに対し、交差するように溶接などにより取り付けられる定着部材１２ａに、打部１３を備えるブラケット部材１２ｂがボルト・ナット１４，１５によって取り付けられるように構成されている。
そして、定着部材１２ａ及びブラケット部材１２ｂは、打部１３が取り付けられる両側部分を、受圧板８の上半側における両側の山形傾斜部８ｂに対して略平行に沿うようにテーパー形状となし、これにより、受圧板８の両側の山形傾斜部８ｂの内側において、該山形傾斜部８ｂから離間させた状態で両側の打部１３が配置されるようにしている（図２参照）。
つまり、支持部１２の両側に配設される打部１３は、回転軸１１ａの正転と逆転とが繰り返される半回転運動により、両側の山形傾斜部８ｂを内側から繰り返し交互に叩くことができるようにしている（図５参照）。
【００２５】
また、定着部材１２ａに設けられているボルト孔１６は、図２及び図３に示すように、上下の長孔形状に形成されている。これにより、定着部材１２ａに対するブラケット部材１２ｂのボルト・ナット１４，１５による定着位置を上下方向に調節することによって、受圧板８を叩く打部１３の当りを適宜変更することができるようにしている。
つまり、受圧板８を強く叩く、その叩きを抑えるなどの調節を行うことができるようにしている。
【００２６】
また、ブラケット部材１２ｂの両側のテーパー部１７には、打部１３を脱着可能に装着するための装着部１８がそれぞれ形成されており、長年の使用において打部１３が消耗した場合などには新規のものに簡単に交換することができるようにしている。
装着部１８は、図３に示すように、短辺一側縁を開口させた平面視が略矩形形状に形成されており、その短辺開口から打部１３を嵌め差し込むなどによって装着することができるようにしている。
【００２７】
打部１３は、図２及び図３に示すように、耐久性と適度の硬さを有する弾性部材またはばね部材などによって形成されている。図示例ではゴムや合成樹脂などの弾性部材を用いて、適宜の長さで下面が平らで、上方に半円形状に膨出させた略かまぼこ形状に形成されている。
また、打部１３は、その長辺両側部に取付溝１９が形成されていて、ブラケット部材１２ｂの装着部１８の長辺開口縁に対し、その短辺開口側から嵌め差し込むことによって装着、そして、引き抜くことで取り外すことができるようにしている。
【００２８】
≪連繋機構の構成≫
連繋機構１１ｃは、図４に示すように、スクリューコンベア３のスクリュー軸３ａに取り付けられる小径プーリー２０と、収納タンク１の後側短辺壁１−１に配設される大径プーリー２１と、この大径プーリー２１から小径プーリー２０にわたり巻回されるＶベル２２とを備えている。
また、連繋機構１１ｃは、大径プーリー２１の回転中心部から離れた円周部位に連繋ボス２３ａを有する偏心回転部２３と、この偏心回転部２３の連繋ボス２３ａに一端側が枢着される第１のリンク２４と、この第１リンク２４の他端側に一端側が枢着されるとともに、他端側が回転軸１１ａに固着される第２のリンク２５とを備えて構成されている。
【００２９】
偏心回転部２３は、適宜の直径を有する略円板形状に形成されて、大径プーリー２１の回転部に取り付けられる。そして、偏心回転部２３は、その回転中心部から離れた円周部位に連繋ボス２３ａを回転自在に備えており、この連繋ボス２３ａに第1リンク２４の一端側が枢着されるように形成されている。
【００３０】
第1のリンク２４は、図４に示すように、第２のリンク２５との協働で偏心回転部２３と回転軸１１ａとを連繋することができる程度の長さを有する長尺に形成されている。第２のリンク２５は、第1のリンク２４の長さよりも半分程度の短尺に形成されている。
そして、第２のリンク２５は、その他端側にリング部材２５ａを備えて、このリング部材２５ａによって回転軸１１ａに回転不動に固着されて連結されるようにしている。
【００３１】
図５は、本実施形態に係る振動発生装置の動きを示す概略図である。
次に、以上のように構成された本実施形態に係る振動発生装置１１を備えた穀物貯溜タンク１について簡単に説明する。
収納タンク１内の貯溜穀物Ｍをタンク外の送出し排出するに際して、図１に示すように、タンクの最底部の送出し路２の排出口部４に排出ホース２６を接続した後に、モータ６を作動させると、スクリューコンベア３の回転ともに、スクリュー軸３ａに連繋機構１１ｃを介して連繋させた振動発生装置１１の回転軸１１ａが、正転と逆転との半回転運動を繰り返す。
すると、回転軸１１ａに備えられている打撃部１１ｂが、図５の（ａ）に示す状態から（ｂ）に示す状態、そして（ｃ）に示す状態とを繰り返すことで、打撃部１１ｂの両側の打部１３が受圧板８の両側の山形傾斜部８ｂを内側から繰り返し交互に叩く。これにより、受圧板８には効果的に振動が与えられる。
受圧板８に振動が与えられると、受圧板８周り貯溜穀物Ｍのブリッジ現象が解消され、シャッター７の上昇により開口された両側の流下口９から送出し路２へと貯溜穀物Ｍが円滑に自然流下されて送出し路２に流れ込む。
【００３２】
以上のように構成された振動発生装置１１を備える本実施形態の穀物貯溜タンクＡによれば、受圧板８を内側から叩くことで、受圧板８に振動を与えるようにしたことで、タンク内の貯溜穀物Ｍの重量負荷を受けている受圧板８に無理な負荷応力などを掛けることはない。これにより、受圧板８が変形や破損するなどのおそれはなく、長期にわたり安定的に受圧板８に振動を与えて、貯溜穀物Ｍのブリッジ現象を効果的に解消することができる。よって、品質の安定性と信頼性の向上が図れるなどの効果が期待できる。
【００３３】
また、収納タンク１の前後短辺壁１−１の間にわたる前後方向に配設される回転軸８に対し、支持部１２を取り付け、この支持部１２に打部１３を備えるといった簡単な構造によって、回転軸１１ａの正転と逆転とが繰り返される半回転運動により、受圧板８に振動を与えることができる。これにより、安価かつ容易に製作し提供することができる。
また、打部１３がゴムや合成樹脂などの弾性部材を形成されていることで、受圧板８に打撃による損傷などを与えることなく、しかも、打部１３自体の損傷などを防いで、長期の使用が可能になるなどによって、メンテナンス上において有利になる。
【００３４】
なお、本発明の実施形態の具体的な構成は、前記した実施形態に限られるものではなく、請求項１から請求項３に記載の本発明の要旨を逸脱しない範囲で設計変更などがあっても本発明に含まれるものである。
例えば、振動発生装置１１の回転軸１１ａに対し、打撃部１１ｂを２ヶ所に限らず、２以上の３から５ヶ所などの複数ヶ所に配設することができる。
また、打撃部１１ｂによる振動を受圧板８の長さ方向の全域にわたり均一に伝播発生させるために、受圧板８の内側に、突起やリブ、そして板材などの伝播手段をその長さ方向に設けることができる。
【００３５】
また、前記した実施形態では、連繋機構１１ｃによる動力の取り出しを、スクリューコンベア３のスクリュー軸３ａから行うように構成しているが、モータ６の出力軸６ａから取り出すように構成することもできる。
【００３６】
さらに、振動発生装置１１は、前記構成の穀物貯溜タンクＡに限らず、田畑から米・麦などを収穫するコンバインにおいて、収穫した穀物を一時貯留するタンクのスクリューコンベアの上方部位に配設される受圧板を、その内側から叩いて振動を与えるための振動発生装置として使用することは勿論可能である。
【図面の簡単な説明】
【００３７】
【図１】本発明に係る穀物貯溜タンクの実施形態を示す縦断側面図である。
【図２】図１のＩＩ−ＩＩ線拡大断面図である。
【図３】本実施形態に係る振動発生装置の打撃部を示す要部の斜視図である。
【図４】本発明の穀物貯溜タンクの一部を拡大して側面図である。
【図５】本実施形態に係る振動発生装置の動きを示す概略図であり、（ａ）は、動作を開始する前の状態を示し、（ｂ）は、一方の打部によって受圧板を叩いている状態を示し、（ｃ）は、他方の打部によって受圧板を叩いている状態を示す。
【符号の説明】
【００３８】
Ａ    穀物潮流タンク
１    収納タンク
１ａ  ホッパ底部
２    送出し路
３    スクリューコンベア
３ａ  スクリュー軸
７    シャッター
８    受圧板
１０  動力伝達機構
１１  振動発生装置
１１ａ  回転軸
１１ｂ  打撃部
１１ｃ  連繋機構
１２  支持部
１２ａ  定着部材
１２ｂ  ブラケット部材
１３  打部
【図１】
2007312613.tif 000003
【図２】
2007312613.tif 000004
【図３】
2007312613.tif 000005
【図４】
2007312613.tif 000006
【図５】
2007312613.tif 000007